(57)【要約】【課題】確実な結合状態を維持できる呼吸用気体供給装置を提供する。【解決手段】酸素ガス取出口に装着されるガス取出ユニットと、ガス取出ユニットに着脱可能に結合するガス供給ユニットとを備え、ガス取出ユニットはガス供給ユニットが結合しているときにのみ開弁する酸素供給弁を備え、ガス供給ユニットは流量調節部と酸素供給弁の開弁部材とを備え、ガス取出ユニット及びガス供給ユニットは、互いに係合してガス取出ユニットとガス供給ユニットとを結合させる係合手段を備え、係合手段は、ガス取出ユニットに設けられた雄側係合部材と、ガス供給ユニットに設けられて回動することにより係合可能な雌側係合部材と、両係合部材の係合状態を維持するストッパ部材と、ストッパ部材を係合位置から非係合位置に移動させる係合解除手段と、ストッパ部材が非係合位置に移動しているときに目視可能な状態になる非係合状態表示部とを備えている。【選択図】図１
2019010360.tif 000002
【特許請求の範囲】
【請求項１】
医療用酸素ガス供給源から供給される酸素ガスを使用者に供給する呼吸用気体供給装置において、前記医療用酸素ガス供給源の酸素ガス取出口に装着されるガス取出ユニットと、該ガス取出ユニットに上方から着脱可能に結合するガス供給ユニットとを備え、前記ガス取出ユニットは、該ガス取出ユニットに前記ガス供給ユニットが結合しているときにのみ開弁する酸素供給弁を備え、前記ガス供給ユニットは、該ガス供給ユニットを前記ガス取出ユニットに結合させる際に前記酸素供給弁を開弁させる開弁部材を備え、ガス取出ユニット及びガス供給ユニットは、互いに係合してガス取出ユニットとガス供給ユニットとを結合させる係合手段をそれぞれ備え、前記係合手段は、前記ガス取出ユニットのガス供給ユニット側に設けられた円盤状の雄側係合部材の外周に突設した係合突部と、前記ガス供給ユニットのガス取出ユニット側に設けられて、前記係合突部に対して係合位置と非係合位置とに回動可能に形成された雌側係合部材と、雄側係合部材と雌側係合部材との係合状態を維持するストッパ部材と、該ストッパ部材を係合位置から非係合位置に移動させる係合解除手段とを備え、該係合解除手段は、前記ガス供給ユニットの対向する位置からそれぞれ側方に突出した一対の突出部に該係合解除手段を下方に押動するための操作部がそれぞれ設けられ、前記操作部を下方に押動して係合解除手段を下方に移動させたときに、前記ストッパ部材が係合位置から非係合位置に移動して雄側係合部材と雌側係合部材との係合状態が解除可能となることを特徴とする呼吸用気体供給装置。
【請求項２】
前記雌側係合部材は、前記係合解除手段が下方に移動したときに外部から目視可能な状態になる非係合状態表示部を備えていることを特徴とする請求項１記載の呼吸用気体供給装置。
【請求項３】
前記非係合状態表示部は、前記雌側係合部材と前記係合解除手段との間に配置された警戒部材からなり、該警戒部材は、係合解除手段が上昇しているときには係合解除手段の側壁に覆われ、係合解除手段が下降したときに係合解除手段の側壁の上部から外部に露出して側方から視認可能になることを特徴とする請求項２記載の呼吸用気体供給装置。
【請求項４】
前記係合解除手段は、前記非係合状態表示部の表面を上方に向けて反射する反射面を備えていることを特徴とする請求項２又は３記載の呼吸用気体供給装置。
【発明の詳細な説明】
【技術分野】
【０００１】
本発明は、呼吸用気体供給装置に関し、詳しくは、各種医療用酸素ガス供給源からの酸素を呼吸器系疾患を持つ患者に供給する際に使用する呼吸用気体供給装置に関する。
【背景技術】
【０００２】
肺気腫や慢性気管支炎等の呼吸器系疾患を持つ患者に酸素を吸入させるため、高圧酸素ガス源からの酸素ガスを減圧し、流量調節して供給する呼吸用気体供給装置が用いられており、例えば、医療用酸素ガス容器をはじめとする各種医療用酸素ガスの酸素ガス取出口に固着されるガス取出ユニットと、カニューラなどが接続されるガス供給ユニットとの着脱を容易かつ確実に行うことができ、呼吸用気体を安定した状態で確実に供給することができる呼吸用気体供給装置が知られている（例えば、特許文献１参照。）。
【先行技術文献】
【特許文献】
【０００３】
【特許文献１】特開２０１３−４８８８８号公報
【発明の概要】
【発明が解決しようとする課題】
【０００４】
特許文献１に記載された呼吸用気体供給装置は、患者が在宅時や外出時に酸素を吸入する際に最適化したものであって、年配の患者に対する操作性や利便性を最大の目的として開発されている。例えば、使用する酸素ガス容器は、合成樹脂製の小型軽量なものに合わせて呼吸用気体供給装置も小型軽量化を図っている。一方、病院内で使用する場合は、酸素ガス容器が大型のものになり、病院内の移動は患者ではなく看護師が行うことが多く、患者数の多い病院では、小型軽量化よりも、酸素ガス容器との接続が強固であること、酸素ガス容器交換の際の接続の確実性が重要視されている。
【０００５】
そこで本発明は、結合操作が容易で、確実な結合状態を維持できる呼吸用気体供給装置を提供することを目的としている。
【課題を解決するための手段】
【０００６】
上記目的を達成するため、本発明の呼吸用気体供給装置は、医療用酸素ガス供給源から供給される酸素ガスを使用者に供給する呼吸用気体供給装置において、前記医療用酸素ガス供給源の酸素ガス取出口に装着されるガス取出ユニットと、該ガス取出ユニットに上方から着脱可能に結合するガス供給ユニットとを備え、前記ガス取出ユニットは、該ガス取出ユニットに前記ガス供給ユニットが結合しているときにのみ開弁する酸素供給弁を備え、前記ガス供給ユニットは、該ガス供給ユニットを前記ガス取出ユニットに結合させる際に前記酸素供給弁を開弁させる開弁部材を備え、ガス取出ユニット及びガス供給ユニットは、互いに係合してガス取出ユニットとガス供給ユニットとを結合させる係合手段をそれぞれ備え、前記係合手段は、前記ガス取出ユニットのガス供給ユニット側に設けられた円盤状の雄側係合部材の外周に突設した係合突部と、前記ガス供給ユニットのガス取出ユニット側に設けられて、前記係合突部に対して係合位置と非係合位置とに回動可能に形成された雌側係合部材と、雄側係合部材と雌側係合部材との係合状態を維持するストッパ部材と、該ストッパ部材を係合位置から非係合位置に移動させる係合解除手段とを備え、該係合解除手段は、前記ガス供給ユニットの対向する位置からそれぞれ側方に突出した一対の突出部に該係合解除手段を下方に押動するための操作部がそれぞれ設けられ、前記操作部を下方に押動して係合解除手段を下方に移動させたときに、前記ストッパ部材が係合位置から非係合位置に移動して雄側係合部材と雌側係合部材との係合状態が解除可能となることを特徴としている。
【０００７】
さらに、本発明の呼吸用気体供給装置は、前記雌側係合部材が、前記係合解除手段が下方に移動したときに外部から目視可能な状態になる非係合状態表示部を備えていること、前記非係合状態表示部は、前記雌側係合部材と前記係合解除手段との間に配置された警戒部材からなり、該警戒部材は、係合解除手段が上昇しているときには係合解除手段の側壁に覆われ、係合解除手段が下降したときに係合解除手段の側壁の上部から外部に露出して側方から視認可能になること、さらに、前記係合解除手段は、前記非係合状態表示部の表面を上方に向けて反射する反射面を備えていることを特徴としている。
【発明の効果】
【０００８】
本発明の呼吸用気体供給装置によれば、ガス取出ユニットに対してガス供給ユニットを回動させて結合するので、両者の結合操作を容易に行うことができるとともに、両者を強固に結合できる。また、ストッパ部材によって結合状態を維持するので、両者の結合状態を確実に維持できる。一方、両者の結合を解除する際には、一対の押動部材を同時に下方に押動しなければならないので、不用意に結合状態が解除されることはなく、酸素ガスの経路が確保され、患者への酸素ガスの供給を連続して行うことができる。
【図面の簡単な説明】
【０００９】
【図１】本発明の呼吸用気体供給装置の一形態例を示す主要構成部材の分解斜視図である。
【図２】酸素ガス容器に装着した状態を示す呼吸用気体供給装置の正面図である。
【図３】酸素ガス取出ユニットの側面図である。
【図４】同じく平面図である。
【図５】ガス供給ユニットの平面図である。
【図６】係合手段が係合している状態のガス供給ユニットの要部を示す一部断面正面図である。
【図７】同じく断面側面図である。
【図８】係合手段の係合を解除した状態又は非結合状態のガス供給ユニットを示す正面図である。
【図９】同じく平面図である。
【図１０】同じく断面正面図である。
【図１１】同じく断面側面図である。
【発明を実施するための形態】
【００１０】
図１乃至図１１は、本発明の呼吸用気体供給装置の一形態例を示している。まず、図２に示すように、呼吸用気体供給装置は、医療用酸素ガス供給源である酸素ガス容器１１のガス取出口である口金部１１ａに装着されるガス取出ユニット１２と、該ガス取出ユニット１２に上方から着脱可能に結合するガス供給ユニット１３とを備えている。
【００１１】
ガス取出ユニット１２は、図３及び図４にも示すように、金属製で直方体形状に形成され、内部にガス流路（図示せず）が形成された本体部１４に対して、下部に前記口金部１１ａに螺着される雄ネジ１４ａを、前面部に酸素ガス容器１１内の酸素ガスの圧力によって酸素ガスの残量を表示する残量計１５を、右側面部に本体部１４内のガス流路を開閉する元栓１６を、左側面部に酸素ガス容器１１内の酸素ガスをあらかじめ設定された供給圧力に減圧する減圧弁１７を、後面部に酸素ガス容器１１内に酸素ガスを充填する際に使用する充填口１８を、上面中央に、酸素供給弁１９を、それぞれ配置している。この酸素供給弁１９には、付勢部材によって閉弁状態に保持され、ステム１９ａを押動されたときに開弁するポペット弁、逆止弁といった一般的なものが使用されている。
【００１２】
さらに、本体部１４の上面には、前記ガス供給ユニット１３を結合するためのガス取出ユニット側の係合手段となる雄側係合部材２０が取り付けられている。この雄側係合部材２０は、円盤状本体部２０ａの外周方向に係合突部２１を突設するとともに、円盤状本体部２０ａの上面から上方に回動規制突起２１ａを突設したものであって、係合突部２１と回動規制突起２１ａとは、周方向に交互に、９０度間隔でそれぞれ４箇所に設けられている。また、係合突部２１の係合時回動方向の先端下部には、ガイド斜面２１ｂが設けられており、円盤状本体部２０ａの中央には、前記酸素供給弁１９の上端部が通過する通孔２０ｂが設けられている。
【００１３】
前記ガス供給ユニット１３は、前記雄側係合部材２０に係合する雌側係合部材２２を内周に形成した平面視が楕円形状の結合ユニット２３と、該結合ユニット２３の上部に連設した平面視が円形状の流量調節ユニット２４とで構成されている。流量調節ユニット２４は、従来のこの種の流量調節部と同様に、流量表示部２５ａを有する流量設定リング２５と、該流量設定リング２５で設定した流量の酸素ガスを導出するジョイント２６とを備えており、このジョイント２６にカニューラやマスクなどに接続したチューブ（図示せず）が接続されて設定流量の酸素ガスが患者に供給される。
【００１４】
結合ユニット２３は、図１に示すように、各部材を組み付けるためのベースとなる台座部２７と、該台座部２７に対して上下方向に移動可能に組み付けられる係合解除手段である係合解除部材２８と、該係合解除部材２８が下方に移動したときに外部から目視可能となる警戒部材２９と、前記係合解除部材２８及び警戒部材２９を台座部２７との間で挟み込むように組み付けられる上部部材３０とで構成されており、上部部材３０の中央には、前記流量調節ユニット２４との間に、前記酸素供給弁１９のステム１９ａを押動して酸素供給弁１９を開弁状態にする開弁部材３１が収まる凹部３１ａが設けられている。また、上部部材３０の流量調節ユニット２４との当接部には、気密性を保持するためのガスケット２４ａが装着されている。
【００１５】
台座部２７の中央部には、雄側係合部材２０が通過可能な円形開口２７ａが設けられており、台座部２７の周縁部４箇所には、係合解除部材２８を上下動可能に保持するガイド凸部２７ｂが４箇所に設けられ、楕円の長辺側で隣接する一対のガイド凸部２７ｂの間には、楕円に沿う状態のガイド外壁２７ｃがそれぞれ設けられている。
【００１６】
係合解除部材２８は、台座部２７より小さな楕円形で形成されており、外周面には、前記ガイド凸部２７ｂが摺動可能に係合するガイド溝２８ａが４箇所に設けられるとともに、一対のガイド溝２８ａの間には、ガイド外壁２７ｃの内周面に摺接するガイド内壁２８ｂがそれぞれ設けられている。
【００１７】
さらに、雄側係合部材２０が係合したときに、各係合突部２１の一端面に対応する位置には、係合突部２１の一端面に係合するストッパ部材３２が４箇所に設けられている。このストッパ部材３２の係合面３２ａの反対側角部には、係合突部２１を係合させる際に、係合解除部材２８を自動的に下方に移動させて、ストッパ部材３２の上端面を雄側係合部材２０の下面に摺接する状態にするためのガイド斜面３２ｂが形成されている。
【００１８】
また、平面視で流量調節ユニット２４の外側に突出した状態になる係合解除部材２８における楕円長軸側端部は、係合解除部材２８を下方に向けて押動する際の操作部３３となっている。この操作部３３の内周側の上側角部は、斜めにカットされて反射面３３ａが形成され、該反射面３３ａには、表面が白色や銀色の反射部材を貼り付けたり、白色や銀色の塗装を施したりしている。この係合解除部材２８は、付勢手段であるスプリング３４によって上方に付勢されており、着脱操作時以外の通常時は、操作部３３の上面が上部部材３０の上面と面一になるように設定されている。
【００１９】
係合解除部材２８が下降したときに外部から視認可能となる非係合状態表示部となる警戒部材２９は、係合解除部材２８のガイド内壁２８ｂや操作部３３の内面より一回り小さく、これらに沿った形状に形成された変形リング状に形成されており、警戒部材２９の少なくとも外側面は、台座部２７，係合解除部材２８及び上部部材３０とは異なる色調の警戒色である赤や黄色などに着色されている。また、警戒部材２９の楕円部中間には、該警戒部材２９を上部部材に組み付けるための係合突起２９ａが設けられている。
【００２０】
上部部材３０は、係合解除部材２８の操作部３３に対応する部分に円弧状の切欠部３０ａを有する楕円形状を有しており、前記係合突起２９ａに対応する位置には、警戒部材２９を取り付けるためのスリット３０ｂがそれぞれ設けられている。この上部部材３０の下面からは、４箇所の前記係合突部２１がそれぞれ係合する前記雌側係合部材２２が円周方向の４箇所に等間隔で突設されており、周方向に隣接する雌側係合部材２２同士の間は、係合突部２１が上下方向に挿通可能な挿通部２２ａとなっている。各雌側係合部材２２の内周面には、係合突部２１が周方向に回動して係合する係合溝３５がそれぞれ設けられており、各挿通部２２ａの上部には、雄側係合部材２０の回動規制突起２１ａが係合してガス取出ユニット１２に対するガス供給ユニット１３に回動量を規制するための回動規制部３６が設けられている。
【００２１】
図２に示すように、ガス取出ユニット１２にガス供給ユニット１３を結合させた状態では、図６及び図７に示すように、各係合突部２１が各係合溝３５に係合し、スプリング３４の付勢力によって係合解除部材２８が上方に移動しているので、各ストッパ部材３２の係合面３２ａが各係合突部２１の一端面に当接し、係合突部２１が係合溝３５から抜け出る方向の動きを規制している。また、警戒部材２９は、上方に移動した係合解除部材２８の内側に隠れた状態になり、外部から視認できない状態になっており、ガス取出ユニット１２とガス供給ユニット１３とが確実に結合していることを表示している。さらに、開弁部材３１の中央の押動突起３１ｂが酸素供給弁１９（図４参照）のステム１９ａを押動して酸素供給弁１９を開弁する。なお、図６及び図７では、雄側係合部材２０の図示は省略している。
【００２２】
このようにガス取出ユニット１２にガス供給ユニット１３を結合させ、開弁部材３１によって酸素供給弁１９を開弁させることにより、酸素ガス容器１１内の酸素ガスが酸素供給弁１９を通って流量調節ユニット２４に流入し、流量設定リング２５で設定した流量で患者に供給される。
【００２３】
ガス供給ユニット１３をガス取出ユニット１２から取り外す際には、図８乃至図１１に示すように、係合解除部材２８の両方の操作部３３を同時に下方に押動する。これにより、係合解除部材２８が台座部２７のガイド凸部２７ｂ及びガイド外壁２７ｃに、係合解除部材２８のガイド溝２８ａ及びガイド内壁２８ｂが摺接してガイドされ、スプリング３４を圧縮しながら下方に向かって直線的に移動する。このとき、一方の操作部３３のみを押動したときは、係合解除部材２８が傾斜して下方への移動が困難になるため、誤って係合解除部材２８を下方に移動させてしまうことが防止される。したがって、酸素ガス容器１１の転倒や、移動中の接触によって係合解除部材２８が下方に移動することがなく、使用中の確実な結合状態を維持することができ、酸素供給弁１９の開弁状態が保持されるので、患者への酸素ガスの供給が断たれることもない。なお、図１０及び図１１では、雄側係合部材２０の図示は省略している。
【００２４】
係合解除部材２８の下方への移動により、外部では、図８及び図９に示すように、ガイド内壁２８ｂが下方に移動することによって内部側の警戒部材２９が側方から視認可能になるとともに、操作部３３の反射面３３ａに警戒部材２９の外側面に着色された警戒色が反射して上方から視認可能となる。また、図１０及び図１１に示すように、内部では、ストッパ部材３２が下方に移動するので各ストッパ部材３２の係合面３２ａが各係合突部２１の一端面から外れた位置になり、係合突部２１が係合溝３５から抜け出る方向に移動可能となる。
【００２５】
この状態でガス供給ユニット１３を取り外し方向に回動させ、本形態例では、反時計回り方向に約４５度回動させ、回動規制突起２１ａの一端面が回動規制部３６の一端面に当接するまで回動させることにより、各係合突部２１と各係合溝３５との係合状態が解除され、ガス取出ユニット１２に対してガス供給ユニット１３が上方に移動可能となり、係合解除部材２８の押動を解除しても、ガス取出ユニット１２からガス供給ユニット１３を取り外すことができる状態になる。
【００２６】
また、ガス供給ユニット１３をガス取出ユニット１２に結合させる際には、ガス取出ユニット１２に対してガス供給ユニット１３を約４５度回動させた状態でガス供給ユニット１３をガス取出ユニット１２の上方から接近させ、挿通部２２ａを通して係合突部２１を係合溝３５に対応する位置に挿入する。このとき、回動規制突起２１ａの上端面が回動規制部３６の天井面に当接し、係合突部２１と係合溝３５とが確実に位置合わせされる。
【００２７】
この状態でガス供給ユニット１３を時計回り方向に回動させると、係合突部２１のガイド斜面２１ｂがストッパ部材３２のガイド斜面３２ｂに摺接し、ストッパ部材３２を介して係合解除部材２８をスプリング３４の付勢力に抗して下方に移動させ、回動途中ではストッパ部材３２の上端面が係合突部２１の下面に押圧され、係合解除部材２８を下方位置に保持する。これにより、前記同様、図８及び図９に示すように、警戒部材２９の警戒色が側方及び上方から視認可能となり、係合解除部材２８が下方に移動していることを外部から容易に確認できる。
【００２８】
そして、ガス供給ユニット１３を約４５度回動させ、係合突部２１が係合溝３５内に進入すると、係合突部２１の下面がストッパ部材３２の上端面から外れ、スプリング３４の復元力によって係合解除部材２８が上昇する。これにより、各ストッパ部材３２の係合面３２ａが各係合突部２１の一端面に当接して係合突部２１が係合溝３５から抜け出る方向の動きを規制するとともに、上方に移動した係合解除部材２８の内側に警戒部材２９が隠れた状態になる。
【００２９】
このように、係合突部２１と係合溝３５とが確実に係合した状態になったときに、非係合状態を表示する警戒部材２９が外部から見えなくなるように形成したことにより、ガス供給ユニット１３がガス取出ユニット１２に確実に取り付けられたことを外部から確認することができ、ガス供給ユニット１３が不確実に結合した状態のままで使用することを防止できる。また、係合解除部材２８が上昇したときに、係合解除部材２８と上部部材３０との衝突音が発生するので、目と耳で結合終了を確認できる。さらに、結合ユニット２３を、平面視で楕円形に形成したことにより、操作部３３が両側に突出した状態になるので、全体を円形に形成した場合に比べて操作性を大幅に向上させることができる。
【００３０】
なお、本形態例では、非係合状態表示部として別体に形成した警戒部材を使用しているが、上部部材に警戒部材と同様の形状を形成し、この部分に警戒色を着色するようにしてもよい。また、通常は、医療用酸素ガス供給源として上方にガス取出口を有する酸素ガス容器を想定しているが、壁面に横向きに設けられたガス取出口にも対応できる。
【００３１】
また、減圧弁はガス取出ユニットとは別に設けることができ、流量調節部はガス供給ユニットとは別に設けることができる。さらに、雄側係合部材の係合突部及び雌側係合部材の設置数は任意である。
【符号の説明】
【００３２】
１１…酸素ガス容器、１１ａ…口金部、１２…ガス取出ユニット、１３…ガス供給ユニット、１４…本体部、１４ａ…雄ネジ、１５…残量計、１６…元栓、１７…減圧弁、１８…充填口、１９…酸素供給弁、１９ａ…ステム、２０…雄側係合部材、２０ａ…円盤状本体部、２０ｂ…通孔、２１…係合突部、２１ａ…回動規制突起、２１ｂ…ガイド斜面、２２…雌側係合部材、２２ａ…挿通部、２３…結合ユニット、２４…流量調節ユニット、２４ａ…ガスケット、２５…流量設定リング、２５ａ…流量表示部、２６…ジョイント、２７…台座部、２７ａ…円形開口、２７ｂ…ガイド凸部、２７ｃ…ガイド外壁、２８…係合解除部材、２８ａ…ガイド溝、２８ｂ…ガイド内壁、２９…警戒部材、２９ａ…係合突起、３０…上部部材、３０ａ…切欠部、３０ｂ…スリット、３１…開弁部材、３１ａ…凹部、３１ｂ…押動突起、３２…ストッパ部材、３２ａ…係合面、３２ｂ…ガイド斜面、３３…操作部、３３ａ…反射面、３４…スプリング、３５…係合溝、３６…回動規制部
【図１】
2019010360.tif 000003
【図２】
2019010360.tif 000004
【図３】
2019010360.tif 000005
【図４】
2019010360.tif 000006
【図５】
2019010360.tif 000007
【図６】
2019010360.tif 000008
【図７】
2019010360.tif 000009
【図８】
2019010360.tif 000010
【図９】
2019010360.tif 000011
【図１０】
2019010360.tif 000012
【図１１】
2019010360.tif 000013